(57)【要約】【課題】サビキ仕掛等、幹糸に多数のハリスを取り付けた仕掛を係合させる台紙にあって、一旦台紙から外して使用した仕掛を、再度台紙に整然とした形で巻き取れるようにすることを目的とする。【解決手段】台紙の上端部からやや下がった位置に複数の釣り針を保持させる針掛片を係合させた台紙にあって、台紙の縁部に針掛片の両側部を差し入れ得る構成の切り込み部を形成し、切り込み部に針掛片を差し入れることによって、台紙の縁部に針掛片を保持させ得るように構成したことを特徴とする釣り用仕掛係合用台紙。【選択図】    図３
2004267082.tif 000002
【特許請求の範囲】
【請求項１】
台紙の上端部からやや下がった位置に複数の釣り針２・・・を保持させる針掛片３を係合させた台紙にあって、台紙の縁部に針掛片３の両側部を差し入れ得る構成の切り込み部４を形成し、該切り込み部４に針掛片３を差し入れることによって、台紙の縁部に針掛片３を保持させ得るように構成したことを特徴とする釣り用仕掛係合用台紙。
【請求項２】
台紙の上端部からやや下がった位置に複数の釣り針２・・・を保持させる針掛片３を係合させた台紙にあって、台紙の縁部に、仕掛に付けられた釣２・・・全部を掛け止め得る針掛け部１４を形成したことを特徴とする釣り用仕掛係合用台紙。
【請求項３】
台紙の上端部からやや下がった位置に複数の釣り針２・・・を保持させる針掛片３を係合させた台紙にあって、台紙の下縁部に、複数個の円弧状の切り込み凹部１０・・・を形成したことを特徴とする釣り用仕掛係合用台紙。
【発明の詳細な説明】
【０００１】
【発明が属する技術分野】
この発明は、サビキ仕掛等、幹糸に複数の釣り針を取り付けた釣り用仕掛を係合させる台紙の改良に関するものである。
【０００２】
【従来の技術】
幹糸から複数のハリスを延出させた構成の釣り用仕掛を販売するに際しては、仕掛全体を台紙に係合させた状態とした後、透明の袋体に収容した形でなされるのが普通であるが、従来使用されている台紙は、長方形の台紙の上端部から下がった位置に、釣り針を掛け止める透明の針掛板を取り付けた構成となっており、仕掛を係合させるに際しては、各釣り針を針掛板に順次掛け止めるとともに、ハリスと幹糸を台紙に巻き付けるという方法で行なわれているのである。
【０００３】
【発明が解決しようとする課題】
このような従来の台紙は、仕掛の販売を前提にしたものであって、一旦仕掛を台紙から外した後で、もう一度仕掛を台紙に巻き取るというようなことは全く考慮されておらず、使用した後の仕掛は、全体を丸めて捨てられしまうのが実情である。
【０００４】
しかし、釣りを終えた場合は勿論のこと、釣り針の状況等により、構成の異なった仕掛に取り換えることが多いのであるが、そのような場合に、外した仕掛を丸めて捨てるしかないとすれば、釣り場に仕掛がそのまま投棄されることにが多くなり、釣り場の環境を乱し、また、未だ使える仕掛を無駄にしてしまうことになるのである。
【０００５】
この発明は、釣りを終えた場合や、仕掛を取り換えるような場合に、今まで使用していた仕掛を台紙に整然とした形で巻き取れるようにすることによって、従来の台紙にみられた欠点を除去しようとするものである。
【０００６】
【課題を解決するための手段】
この発明は、サビキ仕掛等、幹糸に多数のハリスを取り付けた仕掛を係合させる台紙にあって、台紙の縁部に針掛片の両側部を差し入れ得る構成の切り込み部を形成し、該切り込み部に針掛片を差し入れることによって、台紙の縁部に針掛片を保持させ、また、台紙の縁部に針掛部を形成し、釣り竿から仕掛を外す場合に、仕掛全体を元の台紙に整然とした状態にして巻き取れるようにしようとするものである。
【０００７】
【実施例】
図面にもとづいて、この発明の実施例を説明すると、台紙本体１は、図１、並びに図２に示すとおり、長方形状の厚紙板と、透明の樹脂板で形成された針掛片３とからなり、厚紙板の上端部からやや下がった位置の両側部に、針掛片３を差し入れ得る形の切り込み部１２が形成されているとともに、厚紙板の縁部に、針掛片３の両側部を差し入れ得る構成の切り込み部４が形成されており、該切り込み部４に針掛片３を差し入れることによって、厚紙板の縁部に針掛片３を保持させ得るように形成した構成となっているのである。
【０００８】
すなわち、厚紙板は、上端部からやや下がった位置の両側部に、下記する針掛片３を差し入れ得る幅の切り込み部１２・１２が形成されるとともに、上両側部に幹糸６を止めるための切り込み部７・７が形成されており、また、側縁部には、針掛片３の両側部を差し入れ得る浅めの切り込み部４が形成されており、切り込み部４に針掛片３を差し入れた場合、針掛片３の上端部に形成した山形状突起１３が厚紙板の側縁部から突出した状態となって保持し得る構成となっており、また、下縁部に、複数個の円弧状の切り込み凹部１０・・・を形成した構成となっているのである。
【０００９】
針掛片３は、細長状の薄い樹脂板で形成されており、その両端部を切り込み部内に差し入れることによって、厚紙板の表面に取り付け得る構成となっており、その上端部には、複数の山形状の突起１３が連続して形成されており、その谷部に釣り針２を掛け止めることによって、仕掛における釣り針を整然とした状態で保持し得る構成となっているのである。
【００１０】
この発明に係る台紙本体１は、上記のような構成であって、仕掛を販売するに際しては、図２に示すように、切り込み部１２・１２に針掛片３の両側部を差し入れて取り付けた状態にし、順次、釣り針２を針掛片３に掛け止めた後、幹糸６を下方側に導いて挟み入れて固定するという作業を繰り返し、道糸６の端部を台紙の上両側部に形成した糸止め部７に挟み入れて固定し、全体を透明の袋に入れるという手順で行なわれるのである。
【００１１】
上記は、針掛片３を台紙の横縁部に移動させるように形成した場合であるが、図５、並びに図６に示すように、台紙の縁部に、鋸刃状の凹凸部を形成することにより、仕掛に付けられた釣２・・・全部を掛け止める針掛け部１４を形成した構成とすることも可能である。
【００１２】
釣りを行なう際は、釣り竿から延びた釣り糸の端部に仕掛のスナップ５を連結した後、仕掛全体を引っ張り出し、道糸６の後端部に餌籠や錘等を取り付けるという要領により行なわれるのであるが、釣りを終えた場合や、仕掛を変更するような場合には、図３、並びに図４に示すとおり、台紙の針掛片３を取り外し、横側縁部に形成した切り込み部４付近に移動させ、針掛片３の両側部を切り込み部４・４端部に差し入れるとともに、その中心部を支持部１１に差し入れて取り付けた後、釣り針２を、順次、針掛片３に掛け止めるとともに、幹糸６を台紙本体１に形成した凹部８と凹部１０とに掛けて巻き付け、最後に、幹糸６の端部を切り込み部７・９に挟み入れて固定するという手順で行なわれるのである。
【００１３】
【発明の効果】
この発明にかかる台紙は、もともと台紙の表面上に取り付けられていた針掛片３を、台紙の縁部に移動させて保持し得る構成、あるいは、台紙の縁部に形成した針掛部１４によって保持し得る構成となっているため、使用した後の仕掛における多くの釣り針を、針掛片３、あるいは針掛部１４に簡単に係合させることができ、絡みやすい仕掛の再度の使用を可能にするという利点があるのである。それにより、釣り場に仕掛が無造作に投棄されることをなくし、釣り場の環境保護の一助となり得るのである。
【００１４】
また、最近の台紙にあっては、幹糸の端部を引っ張ることによって、仕掛全体を引き出し得るような構成となっているのであるが、台紙の下縁部に凹部１４・・・が形成されている結果、それぞれの幹糸が適当な間隔をおいて凹部１４に納まり、引き出しの際に隣の幹糸に絡まることなく、抵抗なく取り出し得るという利点があるのである。
【図面の簡単な説明】
【図１】台紙の構成を示す斜視図である。
【図２】台紙に仕掛を係合させた状態を示す斜視図である。
【図３】針掛片の位置を変えた状態の台紙を示す斜視図である。
【図４】台紙に仕掛を巻き取った状態を示す斜視図である。
【図５】台紙の構成を示す斜視図である。
【図６】台紙に仕掛を係合させた状態を示す斜視図である。
【符号の説明】
１  台紙本体
２  釣り針
３  針掛片
４  切り込み部
１４  針掛部
【図１】
2004267082.tif 000003
【図２】
2004267082.tif 000004
【図３】
2004267082.tif 000005
【図４】
2004267082.tif 000006
【図５】
2004267082.tif 000007
【図６】
2004267082.tif 000008